(57)【要約】【課題】稼働中に、印刷ユニット内部の状況を確認することができる印刷ユニット、及び、それを備えるオフセット印刷機を提供すること。【解決手段】本発明は、被印刷体Ｗを案内する圧胴１と、該圧胴１に対接され被印刷体Ｗに紫外線硬化型インキを付与するブランケット胴２と、該ブランケット胴２に紫外線硬化型インキを転写する版胴３と、該版胴３に紫外線硬化型インキを供給する複数のインキングローラー５と、少なくとも、ブランケット胴２、版胴３及びインキングローラー５を収容するハウジング８と、を備え、圧胴１、ブランケット胴２、版胴３及びインキングローラー５を視認できるようにハウジング８の前部８ａ及び／又は後部８ｂには、それぞれ窓部１０ａ１，１０ａ２，１０ｂが設けられている印刷ユニット１０である。【選択図】図１
2016196149.tif 000002
【特許請求の範囲】
【請求項１】
被印刷体を案内する圧胴と、
該圧胴に対接され前記被印刷体に紫外線硬化型インキを付与するブランケット胴と、
該ブランケット胴に前記紫外線硬化型インキを転写する版胴と、
該版胴に前記紫外線硬化型インキを供給する複数のインキングローラーと、
少なくとも、前記ブランケット胴、前記版胴及び前記インキングローラーを収容するハウジングと、
を備え、
前記圧胴、前記ブランケット胴、前記版胴及び前記インキングローラーを視認できるように前記ハウジングの前部及び／又は後部には、それぞれ窓部が設けられている印刷ユニット。
【請求項２】
前記ハウジングの前部及び／又は後部に、それぞれ開閉可能な蓋部が取り付けられており、
該蓋部に前記窓部が設けられている請求項１記載の印刷ユニット。
【請求項３】
前記蓋部及び／又は前記ハウジングの内側にはＬＥＤ灯が取り付けられている請求項１又は２に記載の印刷ユニット。
【請求項４】
前記ＬＥＤ灯には、紫外線カットフィルムが巻き付けられている請求項３記載の印刷ユニット。
【請求項５】
前記窓部がアクリルフィルムからなる請求項１〜４のいずれか１項に記載の印刷ユニット。
【請求項６】
前記窓部の前記内側には耐溶剤性のフィルムが貼着されている請求項５記載の印刷ユニット。
【請求項７】
請求項１〜６のいずれか１項に記載の印刷ユニットを前後方向に複数配列し、被印刷体に連続して紫外線硬化型インキを付与する印刷部と、
前記紫外線硬化型インキに紫外線を照射し、その後、該紫外線硬化型インキが硬化された印刷体を回収する排紙部と、
を備えるオフセット印刷機。
【発明の詳細な説明】
【技術分野】
【０００１】
本発明は、印刷ユニット及びそれを備えるオフセット印刷機に関し、更に詳しくは、稼働中に、印刷ユニット内部の状況を確認することができる印刷ユニット、及び、それを備えるオフセット印刷機に関する。
【背景技術】
【０００２】
版からブランケットを介してインキを被印刷体に印刷するオフセット印刷が知られている。
従来のオフセット印刷機としては、例えば、版胴外周に装備された刷版及びブランケット胴外周に装備されたブランケットを介して、走行する印刷基材の印刷面にインキを用いて印刷し、紫外線を照射することにより硬化させるオフセット印刷機が知られている（例えば、特許文献１参照）。
【０００３】
オフセット印刷機においては、色毎に印刷ユニットがあり、その印刷ユニットを複数連結させることにより、多色印刷を可能としている。
【先行技術文献】
【特許文献】
【０００４】
【特許文献１】特開２０１５−４７７６７号公報
【発明の概要】
【発明が解決しようとする課題】
【０００５】
ところで、上記特許文献１記載のオフセット印刷機を含む従来のオフセット印刷機において、印刷ユニットは、その安全性確保のために、内部の装置が稼働時に露出しないようになっている。
また、印刷ユニットの内部は、一般に、外部からは視認できなくなっている。このため、従来のオフセット印刷機においては、何れかの印刷ユニットでトラブルが発生した場合、印刷した印刷体を見てトラブルが発生した位置を推定し、オフセット印刷機の稼働を止めた後、推定した位置をチェックするという手順で確認を行っている。
しかしながら、推定した位置と、実際にトラブルが発生した位置とは必ず一致するとはいえず、結果的に全ての印刷ユニットをチェックしなければならない事態も生じている。
【０００６】
本発明は上記事情に鑑みてなされたものであり、稼働中に、印刷ユニット内部の状況を確認することができる印刷ユニット、及び、それを備えるオフセット印刷機を提供することを目的とする。
【課題を解決するための手段】
【０００７】
本発明者は、上記課題を解決するため鋭意検討したところ、ハウジングの前部及び／又は後部に窓部を設けることにより、上記課題を解決し得ることを見出し、本発明を完成するに至った。
【０００８】
本発明は、（１）被印刷体を案内する圧胴と、該圧胴に対接され被印刷体に紫外線硬化型インキを付与するブランケット胴と、該ブランケット胴に紫外線硬化型インキを転写する版胴と、該版胴に紫外線硬化型インキを供給する複数のインキングローラーと、少なくとも、ブランケット胴、版胴及びインキングローラーを収容するハウジングと、を備え、圧胴、ブランケット胴、版胴及びインキングローラーを視認できるようにハウジングの前部及び／又は後部には、それぞれ窓部が設けられている印刷ユニットに存する。
【０００９】
本発明は、（２）ハウジングの前部及び／又は後部に、それぞれ開閉可能な蓋部が取り付けられており、該蓋部に窓部が設けられている上記（１）記載の印刷ユニットに存する。
【００１０】
本発明は、（３）蓋部及び／又はハウジングの内側にはＬＥＤ灯が取り付けられている上記（１）又は（２）に記載の印刷ユニットに存する。
【００１１】
本発明は、（４）ＬＥＤ灯には、紫外線カットフィルムが巻き付けられている上記（３）記載の印刷ユニットに存する。
【００１２】
本発明は、（５）窓部がアクリルフィルムからなる上記（１）〜（４）のいずれか１つに記載の印刷ユニットに存する。
【００１３】
本発明は、（６）窓部の内側には耐溶剤性のフィルムが貼着されている上記（５）記載の印刷ユニットに存する。
【００１４】
本発明は、（７）上記（１）〜（６）のいずれか１つに記載の印刷ユニットを前後方向に複数配列し、被印刷体に連続して紫外線硬化型インキを付与する印刷部と、紫外線硬化型インキに紫外線を照射し、その後、該紫外線硬化型インキが硬化された印刷体を回収する排紙部と、を備えるオフセット印刷機に存する。
【発明の効果】
【００１５】
本発明の印刷ユニットにおいては、ハウジングの前部及び／又は後部に窓部を設けることにより、内部の装置が稼働時に外部に露出しないように安全性を確保すると共に、稼働中であっても、印刷ユニットの内部の状況を確認することができる。
これにより、印刷ユニットでトラブルが発生した場合は、直接窓部から内部をチェックすることで、トラブルが発生した位置を容易に発見することができる。
【００１６】
本発明の印刷ユニットにおいては、ハウジングの前部及び／又は後部に、それぞれ開閉可能な蓋部が取り付けられており、該蓋部に窓部が設けられているので、上述したように、窓部から内部をチェックすることができ、仮に、トラブルが発生した位置を発見した場合は、蓋部を開くことにより、その位置を修正することができる。
また、部品交換等のメンテナンスやユニット内部の清掃も容易に行うことができる。
【００１７】
本発明の印刷ユニットにおいては、蓋部及び／又はハウジングの内側に、ＬＥＤ灯が取り付けられていると、窓部からの内部の視認がし易く、トラブル修正やメンテナンス等の作業もし易いという利点がある。
このとき、当該ＬＥＤ灯に紫外線カットフィルムを巻き付けることが好ましい。この場合、ＬＥＤ灯の光に含まれる紫外線により、被印刷体に付与するための紫外線硬化型インキが不作為に固化することを防止することができる。
ちなみに、被印刷体に付与された紫外線硬化型インキを仮固定するために、印刷ユニット間に紫外線照射機を設置し、当該紫外線照射機から紫外線を照射する場合があるが、この場合にもＬＥＤ灯には紫外線カットフィルムを巻き付けることが好ましい。ＬＥＤ灯の光に含まれる紫外線による紫外線硬化型インキへの影響を遮断することで、印刷体の紫外線硬化型インキの硬化具合から紫外線照射機の性能を確認することができる。
【００１８】
本発明の印刷ユニットにおいては、窓部がアクリルフィルムからなるものであると、軽量であるため、張り替え等を容易に行うことができる。
また、蓋部に窓部が設けられている場合は、蓋部の重量が大きくならないため、蓋部の開閉がし易い。
このとき、窓部の内側には耐溶剤性のフィルムが貼着されていることが好ましい。この場合、印刷ユニット内を浮遊するインキミストが窓部に付着することを抑制することができる。
また、仮に付着した場合であっても、インキミストを容易に拭取ることができる。
【００１９】
本発明のオフセット印刷機においては、上述した印刷ユニットを前後方向に複数配列しているので、稼働中に、各印刷ユニット内部の状況を確認することができる。
また、例えば、トラブルが軽微である場合は、オフセット印刷機の稼働を止めることなく、その位置を注視することができる。
【図面の簡単な説明】
【００２０】
【図１】図１は、本発明に係る印刷ユニットの内部を示す概略側面図である。
【図２】図２は、本発明に係る印刷ユニットが複数連結されたオフセット印刷機を示す斜視図である。
【図３】図３は、本発明に係る印刷ユニットが複数連結されたオフセット印刷機の印刷ユニットの前部を示す斜視図である。
【図４】図４は、本発明に係る印刷ユニットの前部の上蓋部の開閉状態を説明するためにハウジングを模式的に示した断面図である。
【図５】図５は、本発明に係る印刷ユニットの前部の下蓋部の開閉状態を説明するためにハウジングを模式的に示した断面図である。
【図６】図６は、本発明に係る印刷ユニットが複数連結されたオフセット印刷機の印刷ユニットの後部を示す斜視図である。
【図７】図７は、本発明に係る印刷ユニットの後部の後蓋部の開閉状態を説明するためにハウジングを模式的に示した断面図である。
【図８】図８は、本発明に係るオフセット印刷機の内部を示す概略側面図である。
【発明を実施するための形態】
【００２１】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２２】
まず、本発明に係る印刷ユニットについて説明する。
図１は、本発明に係る印刷ユニットの内部を示す概略側面図である。
図１に示すように、印刷ユニット１０は、図示しない被印刷体を案内する圧胴１と、該圧胴１に対接され被印刷体に紫外線硬化型インキを付与するブランケット胴２と、該ブランケット胴２に紫外線硬化型インキを転写する版胴３と、該版胴３に紫外線硬化型インキを供給する複数のインキングローラー５と、少なくとも、ブランケット胴２、版胴３及びインキングローラー５を収容するハウジング８とを備える。
【００２３】
ここで、被印刷体としては、特に限定されないが、例えば、非吸水性の合成紙、段ボール、布、プラスチックフィルム又はプラスチック板等が挙げられる。
紫外線硬化型インキとしては、公知のものを適宜用いることができる。
例えば、紫外線硬化型インキは、紫外線硬化樹脂、重合開始剤、顔料を含む。なお、溶剤、増感剤、重合禁止剤、消泡剤、界面活性剤等の添加剤を更に含んでいてもよい。
紫外線硬化樹脂としては、重合可能なエチレン性二重結合を備えるアクリレート系、メタクリレート系、不飽和ポリエステル系等が挙げられる。より具体的には、ポリエステルアクリレート、エポキシアクリレート、ウレタンアクリレート等が挙げられる。
重合開始剤としては、ベンゾフェノン系、ベンゾイン系、アセトフェノン系、チオキサントン系等が挙げられる。
なお、印刷ユニット１０は、紫外線硬化型インキに水を使用しない水無し印刷方式であることが好ましい。この場合、給水ユニットが必要なくなるため、後述するハウジング８の内部の視認がし易くなる。
【００２４】
紫外線硬化型インキの使用時の温度は、２０℃〜５０℃であることが好ましい。
また、紫外線硬化型インキの使用時の粘度は、５Ｐａ・ｓ〜１５００Ｐａ・ｓであることが好ましい。
紫外線硬化型インキの物性が、上記範囲内であると、インキミストが発生しにくい。
また、硬化し易いため、紫外線照射機への負担を比較的軽減させることができる。
【００２５】
印刷ユニット１０においては、インキ供給部９から供給された紫外線硬化型インキがインキングローラー５を介して、所定の模様の版が描かれた版胴３に付与される。
そして、版胴３からは、紫外線硬化型インキが、所定の模様としてブランケット胴２に転写され、次いで、圧胴１に案内される図示しない被印刷体に再度転写される。
こうして、印刷ユニット１０においては、被印刷体に対し、単色の模様を付与することが可能となっている。
【００２６】
図２は、本発明に係る印刷ユニットが複数連結されたオフセット印刷機を示す斜視図である。
オフセット印刷機２０においては、印刷ユニット１０が複数連結されている。このため、各印刷ユニット１０で異なる色のインキを使用することにより、被印刷体に対し、多色の模様を付与することが可能となる。
なお、オフセット印刷機２０の詳細については後述する。
【００２７】
図１に戻り、印刷ユニット１０において、ハウジング８は、ブランケット胴２、版胴３及びインキングローラー５を収容している。これにより、ブランケット胴２、版胴３及びインキングローラー５等が稼働時に露出しないように安全性を確保することができる。
また、ハウジング８には、図示しないダクトが連結されている。このため、ハウジング８内で浮遊するインキミストをダクトから吸引することにより取り除くことができる。
なお、ダクトには、その途中にフィルターを設置することが好ましい。この場合、インキミストをフィルターに吸着させることで、インキミストが外部に漏れることを防ぐことができる。これにより、ミストが漏れずに、窓自体の汚れの程度も軽減できる。
【００２８】
印刷ユニット１０において、ハウジング８の前部８ａには、上側に窓部１０ａ１（以下便宜的に「上窓部」という。）及び下側に窓部１０ａ２（以下便宜的に「下窓部」という。）が設けられており、ハウジング８の後部８ｂには、窓部１０ｂ（以下便宜的に「後窓部」という。）が設けられている。
【００２９】
図３は、本発明に係る印刷ユニットが複数連結されたオフセット印刷機の印刷ユニットの前部を示す斜視図である。なお、印刷ユニットの前部８ａは、図２では見えない。
図３に示すように、ハウジング８は、前部８ａの上側に開閉可能な矩形状の蓋部１１ａ１（以下便宜的に「上蓋部」という。）が取り付けられており、前部８ａの下側に開閉可能な矩形状の蓋部１１ａ２（以下便宜的に「下蓋部」という。）が取り付けられている。すなわち、ハウジング８の前部８ａには、上下２箇所に上蓋部１１ａ１及び下蓋部１１ａ２が設けられている。
【００３０】
また、上蓋部１１ａ１には、上窓部１０ａ１が設けられており、下蓋部１１ａ２には、下窓部１０ａ２が設けられている。例えば、上蓋部１１ａ１に開口部を設け、該開口部に透明な上窓部１０ａ１を嵌め込むことにより、上蓋部１１ａ１に上窓部１０ａ１が設けられる。なお、下蓋部１１ａ２についても同様である。
したがって、上窓部１０ａ１からは、ハウジング８内部のインキングローラー５等が視認できるようになっており、下窓部１０ａ２からは、ハウジング８内部のブランケット胴２等が視認できるようになっている。
なお、上窓部１０ａ１は、ハウジング８の傾斜した部分に取り付けられているため、ハウジング８の内部をより視認し易くなっている。
【００３１】
ここで、上窓部１０ａ１及び下窓部１０ａ２としては、透明なプラスチックフィルム、プラスチック板、ガラス板等が挙げられる。これらの中でも、プラスチックフィルム又はプラスチック板であることが好ましく、材質は、アクリルであることがより好ましい。この場合、軽量であるため、張り替え等を容易に行うことができる。
また、上窓部１０ａ１が設けられた上蓋部１１ａ１、及び、下窓部１０ａ２が設けられた下蓋部１１ａ２の総重量が大きくならないため、上蓋部１１ａ１、下蓋部１１ａ２の開閉がし易く、安全性にも優れるという利点がある。
【００３２】
このとき、上窓部１０ａ１及び下窓部１０ａ２の内側には耐溶剤性のフィルムが貼着されている。すなわち、アクリルフィルムの内側に、透明の耐溶剤性フィルムが貼着により積層されていることが好ましい。この場合、ハウジング８内を浮遊するインキミストが上窓部１０ａ１又は下窓部１０ａ２に付着することを抑制することができる。
また、仮に付着した場合であっても、インキミストを雑巾等で容易に拭取ることができる。
なお、耐溶剤性フィルムとしては、特に限定されず、公知のものを適宜採用することができる。
【００３３】
図４は、本発明に係る印刷ユニットの前部の上蓋部の開閉状態を説明するためにハウジングを模式的に示した断面図である。
図４に示すように、上蓋部１１ａ１は、上端がハウジング８に軸固定されている。このため、上蓋部１１ａ１は、その軸を中心に上下方向に回動することにより開閉するようになっている。
【００３４】
印刷ユニット１０において、上蓋部１１ａ１の内側には、ＬＥＤ灯１２が取り付けられている。このため、上蓋部１１ａ１を閉じた場合は、ＬＥＤ灯１２がハウジング８の内側を照らし、上蓋部１１ａ１を開いた場合は、ＬＥＤ灯１２は、作業者を照らすことになる。これらのことにより、上窓部１０ａ１を閉じた状態では、ハウジング８の内部の視認がし易いという利点があり、上窓部１０ａ１を開けた状態では、トラブル修正やメンテナンス等の作業がし易いという利点がある。
なお、上蓋部１１ａ１は、ハウジング８の傾斜した部分に取り付けられているため、上蓋部１１ａ１を閉じた場合は、ＬＥＤ灯１２がハウジング８の内部を斜め下方に向けて照らすことになる。これにより、より視認し易くなる。
【００３５】
印刷ユニット１０において、ＬＥＤ灯１２には、紫外線カットフィルムが巻き付けられており、紫外線カットフィルムの上には更に耐溶剤性フィルムが巻き付けられている。すなわち、ＬＥＤ灯１２は、その周囲に紫外線カットフィルム、耐溶剤性フィルムの順で巻き付けられている。これにより、ＬＥＤ灯１２の光に含まれる紫外線により、被印刷体に付与された紫外線硬化型インキが不作為に固化することを防止することができると共に、ハウジング８内を浮遊するインキミストがＬＥＤ灯１２に付着することを抑制することができる。
また、仮に付着した場合であっても、インキミストを雑巾等で容易に拭取ることができる。
なお、紫外線カットフィルムとしては、特に限定されず、公知のものを適宜採用することができる。
ちなみに、一般に用いられる紫外線照射機は、光源であるＬＥＤ照射機の波長が約３８５ｎｍにピークがある。それに対し、一般に用いられる紫外線硬化型インキも約３８５ｎｍで硬化を開始する硬化開始剤が使用されている。したがって、紫外線カットフィルムは、４００ｎｍ以下をカットするものを採用することが好ましい。
また、耐溶剤性フィルムとしては、特に限定されず、公知のものを適宜採用することができる。
【００３６】
図５は、本発明に係る印刷ユニットの前部の下蓋部の開閉状態を説明するためにハウジングを模式的に示した断面図である。
図５に示すように、下蓋部１１ａ２は、ハウジング８に端部が取り付けられた一対のアーム１５ａにより支持されるようになっている。
そして、アーム１５ａが、ハウジング８に取り付けられた端部を中心に上下に回動することにより、下蓋部１１ａ２が開閉するようになっている。
なお、アーム１５ａは、下蓋部１１ａ２の開閉時に、上蓋部１１ａ１に干渉しないように、十分な長さとなっている。
また、下蓋部１１ａ２の開放時には、下蓋部１１ａ２は、上蓋部１１ａ１の上方に位置するようになっている。
【００３７】
図６は、本発明に係る印刷ユニットが複数連結されたオフセット印刷機の印刷ユニットの後部を示す斜視図である。なお、印刷ユニットの後部８ｂは、図２でも視認できる。
図６に示すように、ハウジング８は、後部８ｂに開閉可能な矩形状の蓋部１１ｂ（以下便宜的に「後蓋部」という。）が取り付けられている。
【００３８】
また、後蓋部１１ｂには、後窓部１０ｂが設けられている。
したがって、後窓部１０ｂからは、ハウジング８内部の版胴３等が視認できるようになっている。
【００３９】
ここで、後窓部１０ｂとしては、上述した上窓部１０ａ１及び下窓部１０ａ２と同様に、透明なプラスチックフィルム、プラスチック板、ガラス板等が挙げられ、プラスチックフィルム又はプラスチック板であることが好ましい。
【００４０】
このとき、後窓部１０ｂの内側には耐溶剤性のフィルムが貼着されている。すなわち、アクリルフィルムの内側に、透明の耐溶剤性フィルムが貼着により積層されていることが好ましい。この場合、ハウジング８内を浮遊するインキミストが後窓部１０ｂに付着することを抑制することができる。
また、仮に付着した場合であっても、インキミストを雑巾等で容易に拭取ることができる。
なお、耐溶剤性フィルムとしては、特に限定されず、公知のものを適宜採用することができる。
【００４１】
図７は、本発明に係る印刷ユニットの後部の後蓋部の開閉状態を説明するためにハウジングを模式的に示した断面図である。
図７に示すように、後蓋部１１ｂは、ハウジング８に端部が取り付けられた一対のアーム１５ｂにより支持されるようになっている。
そして、アーム１５ｂが、ハウジング８に取り付けられた端部を中心に上下に回動することにより、後蓋部１１ｂが上下方向にスライドし、開閉するようになっている。
【００４２】
このように、本実施形態に係る印刷ユニット１０においては、ハウジング８の前部８ａ及び後部８ｂに窓部１０ａ１，１０ａ２，１０ｂを設けることにより、稼働中であっても、印刷ユニット１０内部の状況を確認することができる。これにより、トラブルが発生した場合は、直接窓部１０ａ１，１０ａ２，１０ｂから内部をチェックすることで、トラブル位置を容易に発見することができる。
また、ハウジング８の前部８ａ及び後部８ｂに、それぞれ開閉可能な蓋部１１ａ１，１１ａ２，１１ｂが取り付けられており、該蓋部１１ａ１，１１ａ２，１１ｂにそれぞれ窓部１０ａ１，１０ａ２，１０ｂが設けられているので、トラブルが発生した位置を発見した場合は、蓋部１１ａ１，１１ａ２，１１ｂを開くことにより、その位置を修正することができる。
さらに、部品交換等のメンテナンスやユニット内部の清掃も容易に行うことができる。
【００４３】
次に、本発明に係るオフセット印刷機について説明する。
上述したように、本実施形態に係るオフセット印刷機２０は、上述した印刷ユニット１０が複数連結されている（図２参照）。このため、各印刷ユニット１０で異なる色のインキを使用することにより、被印刷体に対し、多色の模様を付与することが可能となる。
また、オフセット印刷機２０においては、稼働中に、各印刷ユニット１０内部の状況を確認することができる。
【００４４】
図８は、本発明に係るオフセット印刷機の内部を示す概略側面図である。
図８に示すように、本実施形態に係るオフセット印刷機２０は、被印刷体を供給する給紙部Ａと、上述した印刷ユニット１０を前後方向に複数配列した印刷部Ｂと、紫外線硬化型インキを硬化させる紫外線照射機Ｕ及び印刷体を載置する載置スペースＴを有する排紙部Ｃと、を備える。
【００４５】
印刷部Ｂにおいては、複数の印刷ユニット１０が前後方向に配列される。このとき、印刷ユニット１０の前部８ａが給紙部Ａ側、印刷ユニット１０の後部８ｂが排紙部Ｃ側になるように配置する。
また、前側の印刷ユニット１０の圧胴１と、後側の印刷ユニット１０の圧胴１との間には、渡し胴２１を、両方の圧胴１に当接するように配置する。
こうして、印刷部Ｂが形成される。
なお、給紙部Ａ及び排紙部Ｃは、公知のものと同じ構造のものを適宜用いることができる。
【００４６】
オフセット印刷機２０においては、給紙部Ａから供給された被印刷体Ｗが、印刷部Ｂの各印刷ユニット１０の圧胴１に案内されると共に、紫外線硬化型インクが転写され、その後、排紙部Ｃの紫外線照射機Ｕが、紫外線硬化型インキに紫外線を照射し、紫外線硬化型インキが硬化された印刷体が載置スペースＴに載置される。
したがって、オフセット印刷機２０においては、被印刷体Ｗに紫外線硬化型インキによる模様を付与した印刷体が得られる。
なお、被印刷体の搬送方法は特に限定されない。例えば、圧胴に設けられたグリッパーにより、被印刷体の一端を把持し、隣の圧胴に設けられたグリッパーに順次受け渡されることにより被印刷体を搬送すればよい。
また、同様に、排紙部には、チェーンがエンドレス状に設けられており、当該チェーンに取り付けられたグリッパーにより、被印刷体の一端を把持し搬送すればよい。
【００４７】
オフセット印刷機２０においては、上述したように、印刷ユニット１０を用いることにより、稼働中であっても、印刷ユニットの内部の状況を確認することができる。
これにより、何れか印刷ユニット１０でトラブルが発生した場合は、直接窓部１０ａ１，１０ａ２，１０ｂから内部をチェックすることで、トラブルが発生した位置を容易に発見することができる。なお、例えば、トラブルが軽微である場合は、オフセット印刷機２０の稼働を止めることなく、その位置を注視することができる。
また、ハウジング８の前部８ａ及び後部８ｂに、それぞれ開閉可能な蓋部１１ａ１，１１ａ２，１１ｂが取り付けられており、該蓋部１１ａ１，１１ａ２，１１ｂにそれぞれ窓部１０ａ１，１０ａ２，１０ｂが設けられているので、トラブルが発生した位置を発見した場合は、蓋部１１ａ１，１１ａ２，１１ｂを開くことにより、その位置を修正することができる。
さらに、部品交換等のメンテナンスやユニット内部の清掃も容易に行うことができる。
【００４８】
以上、本発明の実施形態について説明したが、本発明は上記実施形態に限定されるものではない。
【００４９】
例えば、本実施形態に係る印刷ユニット１０において、ハウジング８の前部８ａには、上窓部１０ａ１及び下窓部１０ａ２が設けられており、ハウジング８の後部８ｂには、後窓部１０ｂが設けられているが、少なくともいずれか１つの窓部が設けられていればよい。
また、これら以外にも窓部が設けられていてもよい。
【００５０】
本実施形態に係る印刷ユニット１０において、ハウジング８は、前部８ａに上蓋部１１ａ１及び下蓋部１１ａ２が取り付けられており、後部８ｂに後蓋部１ｂが取り付けられているが、これらは必ずしも必須ではない。
また、上蓋部１１ａ１は、矩形状であり、上端がハウジング８に軸固定され、その軸を中心に上下方向に回動することにより開閉するようになっているが、形状は矩形状に限定されず、開閉方法もこれに限定されない。
さらに、下蓋部１１ａ２は、矩形状であり、アーム１５ａにより支持され、アーム１５ａが、ハウジング８に取り付けられた端部を中心に上下に回動することにより、下蓋部１１ａ２が開閉するようになっていが、形状は矩形状に限定されず、開閉方法もこれに限定されない。
さらにまた、後蓋部１１ｂは、矩形状であり、アーム１５ｂにより支持され、アーム１５ｂが、ハウジング８に取り付けられた端部を中心に上下に回動することにより、後蓋部１１ｂが上下方向にスライドし、開閉するようになっているが、形状は矩形状に限定されず、開閉方法もこれに限定されない。
【００５１】
本実施形態に係る印刷ユニット１０において、上蓋部１１ａ１の内側には、ＬＥＤ灯１２が取り付けられているが、必ずしも必須ではない。
また、下蓋部１１ａ２や後蓋部１１ｂにＬＥＤ灯が取り付けられていてもよい。
【００５２】
本実施形態に係る印刷ユニット１０においては、ＬＥＤ灯が蓋部ではなく、ハウジング８の内部に直接取り付けられていることが好ましい。なお、取付位置は特に限定されない。
この場合、必ずしも蓋部を開閉する必要がなく、窓部からハウジング８内部を、容易に視認することが可能となる。すなわち、蓋部を閉じた状態やハウジングに蓋部が無い場合であっても、ハウジング内部を容易に視認できる。
【００５３】
本実施形態に係るオフセット印刷機２０においては、印刷ユニット１０を前後方向に７機配列しているが、印刷ユニット１０の数は特に限定されない。
【００５４】
本実施形態に係るオフセット印刷機２０においては、排紙部Ｃに紫外線照射機を設置しているが、これに加え、紫外線硬化型インキを仮固定するための紫外線照射機を、印刷ユニット１０内に設置してもよい。
なお、設置する紫外線照射機の数は特に限定されない。
【００５５】
本実施形態に係るオフセット印刷機２０においては、印刷体を得た後、後加工を施すことが好ましい。この場合、装飾性に優れる印刷体を得ることができる。
後加工としては、例えば、シルクスクリーン印刷、フレキソ印刷、ローラーコート、塗装、成型等が挙げられる。
【産業上の利用可能性】
【００５６】
本発明に係る印刷ユニットは、被印刷体に対し紫外線硬化型インキを付与するオフセット印刷機等に用いられる。本発明に係る印刷ユニット及びそれを備えるオフセット印刷機によれば、稼働中に、印刷ユニット内部の状況を確認することができる。
【符号の説明】
【００５７】
１・・・圧胴
１０・・・印刷ユニット
１０ａ１・・・上窓部（窓部）
１０ａ２・・・下窓部（窓部）
１０ｂ・・・後窓部（窓部）
１１ａ１・・・上蓋部（蓋部）
１１ａ２・・・下蓋部（蓋部）
１１ｂ・・・後蓋部（蓋部）
１２・・・ＬＥＤ灯
１５ａ，１５ｂ・・・アーム
２・・・ブランケット胴
２１・・・渡し胴
３・・・版胴
５・・・インキングローラー
８・・・ハウジング
８ａ・・・前部
８ｂ・・・後部
９・・・インキ供給部
Ａ・・・給紙部
Ｂ・・・印刷部
Ｃ・・・排紙部
Ｔ・・・載置スペース
Ｕ・・・紫外線照射機
Ｗ・・・被印刷体
【図１】
2016196149.tif 000003
【図２】
2016196149.tif 000004
【図３】
2016196149.tif 000005
【図４】
2016196149.tif 000006
【図５】
2016196149.tif 000007
【図６】
2016196149.tif 000008
【図７】
2016196149.tif 000009
【図８】
2016196149.tif 000010